(57)【要約】【課題】薬品を用いないで、水中の広い範囲でボーフラを駆除できる駆除器を提供する。【解決手段】水中を上下するボーフラ３を誘導するために水中に、誘導部５が保持される。この誘導部５は、逆漏斗形を有し、透明である。逆漏斗形の頂部７には、誘導されたボーフラ３を捕獲するために捕獲室９が連通状態で着脱可能に接続される。この捕獲室９は、誘導部５よりも小さく、内部に水面１３を有する。また捕獲室９は、密閉可能で、内部に閉じ込めた空気による浮力を利用して、駆除器１全体を浮かべる。誘導部５の逆漏斗形の頂部７は、楕円形で、小さな径が７ｍｍから３ｍｍの大きさで、周囲にパッキン１５が設けられ、且つ、捕獲室９の底部には、逆漏斗形の頂部７が貫入する貫通孔１７が形成される。さらに、捕獲室９は、水面１３上に位置する蓋１１を有する。【選択図】図１
0003120895.tif 000002
【実用新案登録請求の範囲】
【請求項１】
水中を上下するボーフラを誘導するために水中に保持され、逆漏斗形を有する透明な誘導部と、前記保持を行う保持手段と、前記誘導されたボーフラを捕獲するために前記誘導部の逆漏斗形の頂部に連通状態で着脱可能に接続され、前記誘導部よりも小さく、内部に水面を有する捕獲室と、を備えることを特徴とする逆漏斗形誘導方式ボーフラ駆除器。
【請求項２】
前記保持手段は、前記捕獲室を密閉可能にし、内部に閉じ込めた空気による浮力を利用する前記捕獲室が兼ねることを特徴とする請求項1に記載の逆漏斗形誘導方式ボーフラ駆除器。
【請求項３】
前記誘導部の逆漏斗形の頂部は、楕円形で、小さな径が７ｍｍから３ｍｍの大きさで、周囲にパッキンが設けられ、且つ、捕獲室の底部には、前記逆漏斗形の頂部が貫入する貫通孔が形成され、よって前記連通状態での着脱が可能になることを特徴とする請求項1、又は２に記載の逆漏斗形誘導方式ボーフラ駆除器。
【請求項４】
前記捕獲室は、水面上に位置する蓋を有することを特徴とする請求項1、２、又は３に記載の逆漏斗形誘導方式ボーフラ駆除器。
【考案の詳細な説明】
【技術分野】
【０００１】
この考案は、薬品を用いないでボーフラを駆除できる駆除器の構造に関する。
【背景技術】
【０００２】
屋外の水溜りにボーフラがわいて困るときに、水溜りに薬品などを入れたくない場合がある。例えば、水溜りに動植物を育っている場合などである。
下記特許文献1には、薬品を用いずに、水溜りに装置を浮かべ、この装置にボーフラが迷い込んで出られなくなることで駆除を行う技術が開示される。
【特許文献１】特開２００５−８７１９９
【考案の開示】
【考案が解決しようとする課題】
【０００３】
しかしながら、特許文献１の装置は、ボーフラが装置に迷い込むには、ボーフラが水面付近を水平方向に活発に移動することが前提となる。しかし、ボーフラは水中と水底を上下はするものの、水平方向の動きはそれほど活発ではなく、よって装置に迷い込む確率もそれほど高くない。よって、駆除の効率がそれほど良くなかった。
【０００４】
この考案は、以上の問題点を解決するために、ボーフラが水中を上下する習性を利用して、駆除の効率を高くできるボーフラ駆除器を提供することを目的とする。
【課題を解決するための手段】
【０００５】
以上の課題を解決するために、第一考案は、水中を上下するボーフラを誘導するために水中に保持され、逆漏斗形を有する透明な誘導部と、前記保持を行う保持手段と、前記誘導されたボーフラを捕獲するために前記誘導部の逆漏斗形の頂部に連通状態で着脱可能に接続され、前記誘導部よりも小さく、内部に水面を有する捕獲室と、を備えることを特徴とする逆漏斗形誘導方式ボーフラ駆除器である。
【０００６】
第二考案は、さらに、前記保持手段は、前記捕獲室を密閉可能にし、内部に閉じ込めた空気による浮力を利用する前記捕獲室が兼ねることを特徴とする逆漏斗形誘導方式ボーフラ駆除器である。
第三考案は、さらに、前記誘導部の逆漏斗形の頂部は、楕円形で、小さな径が７ｍｍから３ｍｍの大きさで、周囲にパッキンが設けられ、且つ、捕獲室の底部には、前記逆漏斗形の頂部が貫入する貫通孔が形成され、よって前記連通状態での着脱が可能になることを特徴とする逆漏斗形誘導方式ボーフラ駆除器である。
【０００７】
第四考案は、さらに、前記捕獲室は、水面上に位置する蓋を有することを特徴とする逆漏斗形誘導方式ボーフラ駆除器である。
【考案の効果】
【０００８】
第一、第二、第三、又は第四考案によれば、逆漏斗形を有する透明な誘導部によって、水中の水平方向の広い範囲で、上下するボーフラを誘導することができ、誘導されたボーフラは空気を吸うために捕獲室に入り、逆漏斗形の小さな頂部から逆戻りしにくいので、捕獲室に捕獲できる。捕獲したボーフラは、捕獲室を外して、水と共に地面などに捨てることで駆除を行える。このように水平方向の広い範囲で誘導できるので、駆除の効率を高くできる。
【０００９】
第二、第三、又は第四考案によれば、捕獲室の内部に閉じ込めた空気による浮力を利用して、駆除器を浮かべ、誘導部を水中に保持できるので、例えば水底に誘導部を支える脚を設けるなどの必要がない。また、捕獲室の水面の位置決めが容易になる。
第三、又は第四考案によれば、誘導部の逆漏斗形の頂部を、楕円形で、小さな径が７ｍｍから３ｍｍの大きさとすることで、ボーフラが誘導部から捕獲室に入りやすく逆戻りしにくくできる。
【００１０】
また、逆漏斗形の頂部の周囲にパッキンが設けられ、且つ、捕獲室の底部には、逆漏斗形の頂部が貫入する貫通孔が形成されることから、連通状態での着脱がより容易になる。  第四考案によれば、駆除器を半分程度を水中に没した状態で、蓋により空気量を調整して、捕獲室内の水面の位置を容易に調整できる。
【考案を実施するための最良の形態】
【００１１】
この考案の実施形態を、図１〜図３に示す。
図１、図２に示すように、この駆除器１は、水中を上下するボーフラ３を誘導するために、水中に誘導部５が保持される。この誘導部５は、水中の水平方向の広い範囲を覆うために逆漏斗形を有し、プラスチック製やアクリル製などで、太陽光などを遮らないように透明である。
【００１２】
この誘導部５の逆漏斗形の突出した頂部７には、誘導されたボーフラ３を捕獲するために捕獲室９が連通状態で着脱可能に接続される。この捕獲室９は、小さな瓶のような形状を有し、頂部１０にネジ式の蓋１１を有する。そして、プラスチック製やアクリル製などで、太陽光などを遮らないように透明である。また、誘導部５よりも小さく、内部に空気１２と水面１３を有する。
【００１３】
そして、捕獲室９は、蓋１１により、密閉可能で、内部に閉じ込めた空気による浮力を利用して、駆除器１全体を浮かべる。また、半分程度を水中に没した状態で、蓋１１により空気量を調整して、捕獲室９内の水面１３の位置を調整できる。
誘導部５の逆漏斗形の頂部７は、楕円形で(図３（Ｂ））、例えば大きな径Ａが６ｃｍで、小さな径Ｂが７ｍｍから３ｍｍの大きさで、頂部７の高さＨは５ｃｍであり、周囲にゴムパッキン１５(図３（Ａ））が設けられる。且つ、捕獲室９の底部には、この逆漏斗形の頂部７が貫入する貫通孔１７が形成される。また、ゴムパッキン１５が嵌合する嵌合溝１５Ａを有する。
【００１４】
「実施形態の効果」
この実施形態によれば、逆漏斗形を有する透明な誘導部５によって、水中の水平方向の広い範囲で、上下するボーフラ３を誘導することができる。誘導されたボーフラ３は空気を吸うために捕獲室９に入り、逆漏斗形の小さな頂部７から逆戻りしにくい。特に、頂部７を楕円形とし、小さな径が７ｍｍから３ｍｍの大きさとすることで、ボーフラ３が誘導部５から捕獲室９に入りやすく逆戻りしにくくできる。
【００１５】
捕獲したボーフラ３は、捕獲室９を外して、水と共に地面などに捨てることで駆除を行える。
捕獲室９の内部に閉じ込めた空気による浮力を利用して、駆除器１を浮かべ、誘導部５を水中に保持できるので、例えば水底に誘導部５を支える脚を設けるなどの必要がない。また、蓋１１により捕獲室９の水面１３の位置決めが容易になる。
【００１６】
また、逆漏斗形の頂部７の周囲にパッキンが設けられ、且つ、捕獲室９の底部には、逆漏斗形の頂部７が貫入する貫通孔１７が形成されることから、頂部７と貫通孔１７の隙間にバラツキがあっても、貫通した連通状態での着脱がより容易になる。
また、捕獲室９が蓋１１を有することで、駆除器１を半分程度を水中に没した状態で、蓋１１により空気量を調整して、捕獲室９内の水面１３の位置を容易に調整できる。
【００１７】
「他の実施形態」
以上の実施形態では、誘導部５を保持する保持手段は、浮力を有する捕獲室９が兼ねるものであったが、他の実施形態では、他の手段、例えば水底に対して誘導部５を支える脚であっても良い。この場合には、誘導部５の縁に複数の脚を設け、脚の長さは水深に合わせて調整可能にする。
【００１８】
以上の実施形態では、誘導部５の逆漏斗形は平面形状が円形（図２）であったが、他の実施形態では四角形などの他の形状でもかまわない。
以上の実施形態では、誘導部５の逆漏斗形の頂部７は、楕円形であったが、他の実施形態では、長四角などであっても良い。
【００１９】
以上の実施形態では、捕獲室９は、水面１３上に位置する蓋１１を有するものであったが、他の実施形態では、蓋１１はなくてもかまわない。駆除器１全体を横にして水面１３に位置させ、水に浸かっている深さを調整することで、捕獲室９に浸入する水の量を調整でき、よって捕獲室９内の水面１３の位置を調整できる。
【図面の簡単な説明】
【００２０】
【図１】この考案の一実施形態にかかる逆漏斗形誘導方式ボーフラ駆除器の使用状態を示す縦断面図である。
【図２】図１の斜視図である。
【図３】（Ａ）は図１の要部を示す拡大図、（Ｂ）は（Ａ）の平面図である。
【符号の説明】
【００２１】
１…駆除器、３…ボーフラ、５…誘導部、７…頂部、９…捕獲室、１１…蓋、１３…水面、１５…ゴムパッキン、１７…貫通孔。
【図１】
0003120895.tif 000003
【図２】
0003120895.tif 000004
【図３】
0003120895.tif 000005